(57)【要約】【課題】本発明の目的は、種々のインターフェースシステムに対して共通で簡単な操作を行うことのできる測定装置を提供することにある。【解決手段】上記目的は、付属モジュールを有するデータの取得及び加工を行うベースモジュールを設け、ベースモジュール及び前記付属モジュールの両方に、ベースモジュールと付属モジュールを接続する光学インターフェースを装着させることによって達成される。このように、本発明は、実際のデータを取得し且つ加工する機能を有するベースモジュールと、加工されたデータを前記付属モジュールに送信するための光学インターフェースとを特徴とする測定装置を提供する。【選択図】  図３
2006313547.tif 000002
【特許請求の範囲】
【請求項１】
測定データの取得と加工を行うベースモジュール及び付属モジュールを具備する流量計、レベル計等の測定装置であって、前記ベースモジュール及び付属モジュールは、前記ベースモジュール及び前記付属モジュールが相互に接続される光学インターフェースを備えることを特徴とする測定装置。
【請求項２】
前記データは、前記ベースモジュールから前記付属モジュールに光学インターフェースを介して送信されることを特徴とする請求項１記載の測定装置。
【請求項３】
前記ベースモジュールは、前記データを、予め設定された変換パラメータの関数として線形にする線形化装置を有することを特徴とする請求項１又は２記載の測定装置。
【請求項４】
前記付属モジュールは、前記データを出力する外側インターフェースを備えることを特徴とする請求項１又は２記載の測定装置。
【請求項５】
前記付属モジュールは、前記データの読み出しを行うディスプレイを有することを特徴とする請求項１又は２記載の測定装置。
【請求項６】
前記ベースモジュールは、前記データを出力し、且つ／又は前記ベースモジュールのパラメータを設定する付加的インターフェースを有することを特徴とする請求項１又は２記載の測定装置。
【請求項７】
前記ベースモジュールは、二線式信号出力を有することを特徴とする請求項６記載の測定装置。
【請求項８】
前記ベースモジュールは、バスインターフェースを有することを特徴とする請求項６又は７記載の測定装置。
【請求項９】
前記ベースモジュールと付属モジュールは、前記ベースモジュールと付属モジュールの間に確実な電気的分離が得られるようにお互いに所定の距離で隣り合って配置されることを特徴とする請求項１又は２記載の測定装置。
【請求項１０】
前記ベースモジュールに、前記付属モジュールの外側インターフェース介して、電力を供給する手段が設けられることを特徴とする請求項１又は２記載の測定装置。
【請求項１１】
前記付属モジュールは、第２の付属モジュールに交換可能であることを特徴とする請求項１又は２記載の測定装置。
【発明の詳細な説明】
【技術分野】
【０００１】
この発明は、測定データを取得し加工するベースモジュールを備えた流量計又はレベル計等の測定装置に関する。
【背景技術】
【０００２】
流量計又はレベル計等の工業用測定装置は、容量又は質量流量又は充填レベル値のようなデータを検出するために働く。しかしながら、一般的に、それらは、対象となる値、言い換えると容量又は質量流量又は充填レベルの値の直接的な読み出しを提供しない。代わりに、要求されたデータは、フロート型流量計のフロートのリフト高さ、磁気誘導流量計の誘導電流の強さ、又はレーダー型レベル計のレーダー信号の走破時間の情報としてすぐに提示される。事実、もし、フロート型流量計において、フロートのリフト高さが検出マグネットを介して検出されるならば、フロートのリフト高さ測定は、間接的に、言い換えると関連した流量に相関しなければならない磁束密度情報の形で、検出されることになる。
【０００３】
それゆえに、このように要求されたデータは、流量又は充填レベル等の対象となる実際の値を指摘する信号を生じるために加工、言い換えると変換されなければならない。これは、予め規定された換算パラメータに基づいて検出された初期データの線形化を要求する。工業的応用に先立って、関連した測定装置は、線形化のために予め規定されたパラメータに基づいて変換されなければならないので、実際の測定装置において、各々の直接的に要求されるデータは、適当な流量又はレベル値に曖昧に変換される。
【０００４】
例として上述された流量及びレベル計の場合、これによって測定された流量又はレベル値は、ディスプレイ又は出力装置に供給される。典型的なディスプレイは、アナログ又はデジタル設計されたもので、多くの場合測定装置に直接装備される。しかしながら、離れた場所で測定値を表示及び／若しくは加工することが要求されることもある。その効果のために、測定装置が試験電圧又は試験電流の形の測定データを出力するためのインターフェースを備えている。インターフェースのタイプ及びデータが転送される方法は、一般的に、プロトコル又はバスシステムによって規定される。例としては、２線式回路、ＨＡＲＴ、ＰＲＯＦＩＢＵＳ、ＦＯＵＮＤＡＴＩＯＮ  ＦＩＥＬＤＢＵＳ、等を介して、４〜２０ｍＡの電流信号としての信号送信が挙げられる。
【特許文献１】特開２００４−２５１６９５号公報
【特許文献２】特開２００５−８３８５８号公報
【発明の開示】
【発明が解決しようとする課題】
【０００５】
通常、測定装置が、データ送信のためのただ一つのインターフェースのみを備えることに問題があるので、測定装置が一体化されたシステムの交換は、測定装置の完全な交換か、もし測定装置が新しいインターフェースに変更される場合には、少なくとも一つの再変換かのいずれかが要求される。それは、時間の浪費であり、費用がかかる。
【０００６】
上記背景に対して、本発明の目的は、種々のインターフェースシステムに対して共通で簡単な操作を行うことのできる測定装置を提供することにある。
【課題を解決するための手段】
【０００７】
上述したような測定装置に関して、上記目的は、付属モジュールを有するデータの取得及び加工を行うベースモジュールを設け、ベースモジュール及び前記付属モジュールの両方に、ベースモジュールと付属モジュールを接続する光学インターフェースを装着させることによって達成される。
【０００８】
このように、本発明は、実際のデータを取得し且つ加工する機能を有するベースモジュールと、加工されたデータを前記付属モジュールに送信するための光学インターフェースとを特徴とする測定装置を提供する。これは、異なる目的のために装備され、測定データの出力が上述したＨＡＲＴ、ＰＲＯＦＩＢＵＳ、ＦＰＵＮＤＡＴＩＯＮ  ＦＩＥＬＤＢＵＳのような規格に対応して変換される異なる外部インターフェースを装備するいろいろな付属モジュールの使用を可能にする。
【０００９】
特にこの発明の好ましい例は、用いられる付属モジュールのタイプを認識するベースモジュールの能力を有し、ベースモジュールに、特定の付属モジュールに関して特定化され且つそこから表示又は出力装置に供給されるデータを、適当なインターフェースを介して付属モジュールに送信させるものである。
【００１０】
特に、前記ベースモジュールは、さらに、要求されたデータを、所定の変換パラメータに基づいて線形化する線形化装置を有する。これは、付属モジュールへ予め線形化されたデータの送信を可能にするので、この発明に係る測定装置の産業上の利用に先立って、基礎モジュールの変換であるただ一回の変換のみが必要とされ、異なる付属モジュールのその後の使用を可能にし、付属モジュールの型が変更されるときはいつでも測定装置の再変換に関する必要性を回避することができる。
【００１１】
異なる外部インターフェースに加えて、いろいろな付加的な機能及び／若しくはディスプレイを有する付属モジュールを設けることも可能である。例えば、本発明の例は、カウンター及び／若しくは視角表示部を有する付属モジュールを用いることが可能である。
【００１２】
一般的に、付属モジュールにデータを送信するための光学インターフェースにすぎないものを、ベースモジュールを装着することを可能にする。しかしながら、本願発明の例においては、ベースモジュールは、要求されたデータを出力するための及び／若しくはベースモジュールのパラメータを設定するための付加的なインターフェースを有する。特に、ベースモジュールは、二線式信号出力ポート及び／若しくはＨＡＲＴインターフェースのようなバスインターフェースを有する。
【００１３】
ベースモジュール及び付属モジュールの間のデータ送信が、上述した光学インターフェースを介して実行されるという事実は、いくつかの利点を提供する。第１に、１００ＫＢまでの大変大きなデータ送信率を得ることができる。第２に、前記ベースモジュールと前記付属モジュールの間の高信頼の電気的分離を可能にする。例えば、前記ベースモジュールは、約１０ｍｍの間隔で前記付属モジュールに平行に配することができ、光学インターフェースに使用される光ファイバーケーブルの間の間隔は、５ｍｍの場合に良好な作動が得られることが見出された。
【００１４】
一般的に、独立したエネルギー源から前記ベースモジュールへの電力の供給も可能する。しかしながら、この発明の好ましい例において、ベースモジュールには、付属モジュールの外部インターフェースを介して電力が供給される。この場合、前記ベースモジュールと前記付属モジュールとの間には電線接続があり、例えばバスシステムにおける適切な電力は、バスシステムに接続されないベースモジュールに対しても適切になされる。
【００１５】
本発明に係る測定装置が、形成され且つ発展される幾多の方法がある。これに関して、添付された図面を参照し、本発明の好ましい例の下記する詳細な説明及び従属クレームに注意を払わなければならない。
【発明を実施するための最良の形態】
【００１６】
以下、この発明の実施例について図面により説明する。
【実施例１】
【００１７】
図１は、本願発明の実施例に係る、ベースモジュール１を有するフロート型流量計のデータ変換装置の斜視図である。前記変換装置は、従来技術におけるように、フロート型流量計の図示しないフロートのリフト高さを指摘するための磁気カップリングを使用した指示装置２を有する。この指示装置は、図２及び３に示すように、目盛ダイヤル３を使用しており、前記容量流量のアナログ直読式指示を有する。
【００１８】
さらに、前記ベースモジュールは、光学インターフェース４を装着し、半二重法によってデータ交換を行っている。その端部に対して、光学インターフェース４は、送信装置１３と、これから空間的に離れて配置される受信装置１４とを有している。図２に示されるように、本願発明の実施例に係る変換装置は、ベースモジュール１と、空間的に離れて配置され、送信装置１５及び受信装置１６を有する光学インターフェース６その一部に装着する付属モジュール５とを特徴とする。この形態において、前記ベースモジュール１は、関連した付属モジュール５の型と同一化することができると同時に、ベースモジュール１が、付属モジュール５に要求されたデータを送信することを可能にする。特に、これは、付属モジュール５によってさらに加工され且つ送信されることが意図されないデータが、まず第１に、ベースモジュール１から付属モジュール５に送られないことを意味する。
【００１９】
前記ベースモジュール１は、予め設定された変換パラメータに基づいて線形化工程を介して、磁気カップリングを介して検出されたフロートのリフト高データを養老流量に数学的に変換する線形化装置を有する。それは、ベースモジュール１の光学インターフェース４が、先に線形化されたデータを送信して、直接容量流量情報を提供し、用いられた付属モジュール５に依存する所定の線形化及び対応する変換の必要性を回避することに導く。
【００２０】
付属モジュール５に送られた前記流量情報は、図５で示すように、ＰＲＯＦＩＢＵＳ又はＦＯＵＮＤＡＴＩＯＮ  ＦＩＥＬＤＢＵＳのような規格に迎合する付属モジュール５の外部インターフェース７を介して出力される。さらに、この発明の好ましい例において、前記ベースモジュール１は、電力出力８、供給ライン９及び電力入力ポート１０によって、前記付属モジュール５から電力を受け取っている。これは、前記ベースモジュール１に関して専用の電力供給を不要にする。
【実施例２】
【００２１】
図４（ａ），（ｂ）は、本願発明の別の実施例について図示する。この変換装置も、ベースモジュール１と、光学インターフェース４，６を有する付属モジュール１１を有しており、その基本的な機能に関して、異なる外部インターフェースを具備する点を除いて、図１乃至図３に示された変換装置と同様に設計される。また、前記付属モジュールは、さらに対応するディスプレイ１２を有する総合カウンター装置を有している。
【００２２】
この発明の実施例２の重要な特徴は、図４（ａ），（ｂ）に示される変換装置が、付属モジュール５を付属モジュール１１に単に取り替えることによって、図１〜３に示された変換装置から簡単なやり方でつくることができるという事実にある。主な利点として、異なる変換装置を用いた「新しい」測定装置は、測定装置に関していかなる再較正も要求しない。その上、それぞれの付属モジュール５又は１１は、先に線形化された測定データを受信するので、測定装置の完全な「情報」は、ベースモジュール１において実行されるので、前記付属モジュール５又は１１は、単に要求された後加工を実行し、且つ／又は、適当なプロトコル及び／若しくはバスシステムにデータを転送するためだけに働く。
【００２３】
最後に、前記ベースモジュール１、選択された付属モジュール５，１１及び目盛ダイヤル３は、一体のハウジング１７内に装備され、そのハウジング１７内では、前記ベースモジュール１及び選択された付属モジュール５，１１は、前記光学インターフェース４，６がデータを交換すると同時に高信頼の電気的分離を確保するような方法において、平行に且つお互いに所定の間隔を空けて配置される。その結果として、外側からわかるように前記測定装置は、常に同じであるように見えると共に、付属モジュール５，１１に依存するので、特に外部インターフェースを介するいかなるデータ送信と同様に別の機能的能力についても、異なる相関関係を提供するものである。
【図面の簡単な説明】
【００２４】
【図１】ベースモジュールに関して、本願発明の好ましい例に係るフロート型流量計のデータ変換装置の概略説明斜視図である。
【図２】図１に示されるデータ変換装置の付属モジュールの位置を示した概略説明図である。
【図３】ベース及び付加モジュールを有する変換装置の斜視図である。
【図４】（ａ），（ｂ）は、本発明の他の例を示した図１及び２と同様の概略説明図である。
【符号の説明】
【００２５】
１  ベースモジュール
２  指示装置
３  目盛ダイヤル
４  光学インターフェース
５  付属モジュール
６  光学インターフェース
７  外部インターフェース
８  電力出力
９  供給ライン
１０  電力入力ポート
１１  付属モジュール
１２  ディスプレイ
１３  送信装置
１４  受信装置
１５  送信装置
１６  受信装置
【図１】
2006313547.tif 000003
【図２】
2006313547.tif 000004
【図３】
2006313547.tif 000005
【図４】
2006313547.tif 000006